(57)【要約】  【課題】乳幼児や要介護者などが飴玉やタブレットなどを飲み込まないで、口腔中で確実にしゃぶれるようにする介助具を実現する。  【解決手段】飴玉やタブレットなどのような飴玉類を収納し支持可能な収納手段やネット製の袋状部と、前記収納手段や袋状部を介助者が操作する操作手段を有しているため、介助者が、前記操作手段を用いて前記収納手段や袋状部を操作することによって、飴玉やタブレットなどを収納支持した収納手段や袋状部を被介助者の口腔中に挿入したり、飴玉やタブレットなどが溶けて残り少なくなった頃合いに取り出したり、自由に操作できる。【選択図】図１
2010042193.tif 000002
【特許請求の範囲】
【請求項１】
飴玉やタブレットなどのような飴玉類を収納して支持可能な収納手段と、
前記収納手段を介助者が操作するための操作手段を有し、
前記操作手段によって、前記収納手段を操作可能な構造となっていることを特徴とする飴玉類のしゃぶり介助具。
【請求項２】
前記の収納手段は、内部の飴玉類をしゃぶった際の唾液が通過できるように、全部又は一部が網目状になっていることを特徴とする請求項１に記載の飴玉類のしゃぶり介助具。
【請求項３】
前記の収納手段は、テニスラケット状体を２枚重ねにして、それぞれのガット状部の間に飴玉類を挟んで収納保持する構造となっており、
２枚重ねのテニスラケット状体が互いに開閉する構造となっていることを特徴とする請求項１または請求項２に記載の飴玉類のしゃぶり介助具。
【請求項４】
前記のテニスラケット状体の少なくとも片側の楕円状枠の一部あるいは全周に舌苔除去用の突起を複数設けたこと又は２枚重ねのテニスラケット状体のそれぞれの楕円状枠から延びた取っ手棒と爪手段を挿通するストッパー鍔を前後移動不可能に装着する構造としたことを特徴とする請求項３に記載の飴玉類のしゃぶり介助具。
【請求項５】
前記の収納手段は、ネット又はネット状体から成る袋状をしており、この袋状部の開口側を閉じる閉鎖手段と、この閉鎖手段から延びた引き出し手段又は前記袋状部から延びた延長部を有していることを特徴とする請求項１または請求項２に記載の飴玉類のしゃぶり介助具。
【請求項６】
前記の収納手段は、ネット又はネット状体から成る袋状をしており、この袋状部の開口を閉じる閉じ紐又はこの袋状部から延びた延長部を有し、
この延長部を支持する筒状若しくは芯状の支持手段又は前記閉じ紐を挿通支持する支持手段を具備していることを特徴とする請求項１または請求項２に記載の飴玉類のしゃぶり介助具。
【請求項７】
前記の取っ手棒又は延長部、引き出し手段若しくは支持手段に、収納手段の挿入位置を示す１若しくは複数の目印又は前後移動不可能なストッパー鍔を設けてあることを特徴とする請求項１から請求項６までのいずれかに記載の飴玉類のしゃぶり介助具。
【請求項８】
前記の収納手段は、ネット又はネット状体から成る袋状をしていて、この袋状部から延びた延長部を有し、
この延長部に挿入する芯状支持手段にストッパー鍔を設け、前記芯状支持手段の袋状部側に飴玉類の当接部又は受け部を有し、反対側に取っ手手段を有していることを特徴とする請求項１または請求項２に記載の飴玉類のしゃぶり介助具。
【請求項９】
飴玉やタブレットなどのような飴玉類を収納し支持した状態の収納手段の取っ手手段又は引き出し手段若しくは支持手段を介助者が操作して、被介助者の口腔中に収納手段を挿入し又は引き出ことを特徴とする飴玉類のしゃぶり介助方法。
【請求項１０】
前記の収納手段は、内部の飴玉類をしゃぶった際の唾液が通過できるように、全部又は一部が網目状になっていることを特徴とする請求項７に記載の飴玉類のしゃぶり介助方法。
【発明の詳細な説明】
【技術分野】
【０００１】
本発明は、飴玉やタブレットなどのしゃぶり介助具に関する。乳幼児や要介護者などに薬用のタブレットを与えると、しゃぶらないで飲み込んでしまう恐れがあるので、それを防ぐには、特別の介助具が必要となる。また、予め飴玉などをしゃぶらせて、甘味の少ないタブレットなども抵抗無くしゃぶれるように練習することもできる。その場合も、飴玉などがしゃぶれるように、予め練習させるのが望ましい。
本発明は、このように飴玉や金平糖、タブレットなど（以下「飴玉類」と略す）をしゃぶれるようにする介助具に関する。
【背景技術】
【０００２】
前記のように、飴玉類を飲み込まずに、しゃぶれるようにする介助具を実現するには、飴玉やタブレットなどを網目状の袋に収納して、飲み込めないように紐などを連結しておいて、この紐などを介助者が操作する手法を発明した。この手法によって飴玉やタブレットなどを無意識にしゃぶるようになると、唾液が自然と増えて、結果的に口腔内の清掃効果も期待できる。
【０００３】
そこで、同様な先行技術の有無を調査した結果、特許文献１の存在を確認できた。特許文献１の記載は、手を使わず咀嚼することで口腔内の清掃が可能で、高齢者や障害者にも容易に使用できる口腔内清掃具を提供すべく、合成繊維不織布にて球体を形成し、その球体表面に凹凸を設けて金平糖状に形成し、その中心より誤嚥防止の紐及び把手又は安全ピンを付けた口腔内清掃具を提案している。
【特許文献１】特開2003−153922号
【発明の開示】
【発明が解決しようとする課題】
【０００４】
しかしながら、特許文献１に記載のように金平糖状の合成繊維不織布製の球体を咀嚼させようとしても、合成繊維不織布の球体表面が凹凸状であるため、咀嚼者にとっては違和感が強く、自ら積極的に咀嚼してくれるとは思えない。それどころか、異物と勘違いして吐き出す恐れがあるので、口腔内清掃は期待薄であり、飴玉やタブレットなどの呑み込み防止の練習にも利用できない。
本発明の技術的課題は、このような問題に着目し、飴玉やタブレットなどを飲み込めないよう、口腔中で確実にしゃぶれるようにする介助具を実現することにある。
【課題を解決するための手段】
【０００５】
本発明の技術的課題は次のような手段によって解決される。請求項１は、飴玉やタブレットなどのような飴玉類を収納して支持可能な収納手段と、
前記収納手段を介助者が操作するための操作手段を有し、
前記操作手段によって、前記収納手段を操作可能な構造となっていることを特徴とする飴玉類のしゃぶり介助具である。飴玉類には、飴玉やタブレットなどのように、しゃぶって摂取できる物を総称するものとする。
このように、飴玉やタブレットなどのような飴玉類を収納し支持可能な収納手段と、前記収納手段を介助者が操作する操作手段を有しているため、介助者が、前記操作手段を用いて前記収納手段を操作することによって、飴玉やタブレットなどを収納支持した収納手段を被介助者の口腔中に挿入したり、飴玉やタブレットなどが溶けて残り少なくなった頃合いに取り出したり、自由に操作できる。
【０００６】
こうしてタブレットをしゃぶることが出来ると、薬用タブレットの呑み込みや誤嚥を防止できるし、自らしゃぶれるように訓練することもできる。また、飴玉やタブレットなどをしゃぶっている間に、唾液が自然と増えて、口腔内の清掃の効果も期待できる。なお、飴玉の場合は甘味があるため、乳幼児や要介護者などは自然と積極的にしゃぶることになり、唾液増加に加えて、口唇や舌、頬などの筋力の増強にもつながる。
【０００７】
請求項２は、前記の収納手段は、内部の飴玉類をしゃぶった際の唾液が通過できるように、全部又は一部が網目状になっていることを特徴とする請求項１に記載の飴玉類のしゃぶり介助具である。
このように、前記の収納手段は、内部の飴玉類をしゃぶった際の唾液が通過できるように、全部又は一部が網目状になっているため、収納手段を口腔内に挿入すると、収納手段の内部の飴玉やタブレットなどが唾液で溶け出し、その甘味で唾液がさらに増加すると共に、自然と飴玉やタブレットなどの成分を摂取可能となる。自然と無意識にしゃぶる動作をする際に、網目状部が舌と接して動くため、舌苔の除去効果も期待できる。
【０００８】
請求項３は、図１のように、前記の収納手段は、テニスラケット状体を２枚重ねにして、それぞれのガット状部の間に飴玉類を挟んで収納保持する構造となっており、
２枚重ねのテニスラケット状体が互いに開閉する構造となっていることを特徴とする請求項１または請求項２に記載の飴玉類のしゃぶり介助具である。開閉構造は、ヒンジ手段による開閉構造でも、ヒンジ無しの互いに分離・当接する構造でもよい。
このように、前記の収納手段は、テニスラケット状体を２枚重ねにして、それぞれのガット状部の間に飴玉類を挟んで収納保持する構造となっているので、ガット状部とその外周の楕円状枠によって飴玉やタブレット類の逃げ出しを阻止でき、唾液はガット状部を通過できるので、網目と同じ効果を奏する。
また、２枚重ねのテニスラケット状体が互いに開閉する構造となっているので、開けた状態で飴玉やタブレットなどを挿入し収納することができる。
【０００９】
請求項４は、図２のように、前記のテニスラケット状体の少なくとも片側の楕円状枠の一部あるいは全周に舌苔除去用の突起を複数設けたこと又は図８のように、２枚重ねのテニスラケット状体のそれぞれの楕円状枠から延びた取っ手棒と爪手段を挿通するストッパー鍔を前後移動不可能に設けてあることを特徴とする請求項３に記載の飴玉類のしゃぶり介助具である。
このように、前記のテニスラケット状体の少なくとも舌に当たる側の楕円状枠の一部あるいは全周に舌苔除去用の突起を複数有しているため、飴玉やタブレットなどの入った収納手段を口腔内でしゃぶっている間に、複数の突起の動きによって自然と舌苔が除去される。介助者が、被介助者の舌の上でテニスラケット状体を前後動させてもよい。
前記のようにテニスラケット状体を舌の上で前後動させる必要性の無い場合は、図８のように、２枚重ねのテニスラケット状体のそれぞれの楕円状枠から延びた取っ手棒と爪手段を挿通するストッパー鍔を前後移動不可能に設ける構成にすると、袋状部やその中の飴玉類の誤嚥をストッパー鍔によって防止でき、介助者の負担が軽くなる。ストッパー鍔を前後動不可能に装着した状態では、一対のテニスラケット状体が開くこともない。
【００１０】
請求項５は、図４〜図６のように、前記の収納手段は、ネット又はネット状体から成る袋状をしており、この袋状部の開口側を閉じる閉鎖手段と、この閉鎖手段から延びた引き出し手段又は前記袋状部から延びた延長部を有していることを特徴とする請求項１または請求項２に記載の飴玉類のしゃぶり介助具である。
このように、前記の収納手段は、伸縮性に富んだネットやネット状体から成る袋状をしているので、その中に飴玉やタブレットなどを収納支持できる。そして、この袋状部の開口側を閉じる閉鎖手段を有しているので、内部の飴玉やタブレットなどが抜け出すのを防止できる。また、前記の袋状部から延びた延長部又は開口の閉鎖手段から延びた引き出し手段を有しているので、飴玉やタブレットなどをしゃぶって消失した時点で又は残り少なくなった頃合いに、介助者は、前記延長部や引き出し手段を介して、口腔中の収納手段を口腔から引き出すことができる。
【００１１】
請求項６は、前記の収納手段は、ネット又はネット状体から成る袋状をしており、図４〜図７のように、この袋状部の開口を閉じる閉じ紐又はこの袋状部から延びた延長部を有し、
この延長部を支持する筒状若しくは芯状の支持手段又は前記閉じ紐を挿通支持する支持手段を具備していることを特徴とする請求項１または請求項２に記載の飴玉類のしゃぶり介助具である。
このように、ネット又はネット状体から成る袋状部の開口を閉じる閉じ紐又はこの袋状部から延びた延長部を有し、図４、図５のように、この延長部を支持する筒状若しくは芯状の支持手段又は図７のように前記閉じ紐を挿通支持する支持手段を具備しているので、飴玉やタブレットなどをしゃぶって消失した時点で又は残り少なくなった頃合いに、介助者は、前記支持手段を介して、口腔中の収納手段の前後動その他の操作を行なうことができる。
【００１２】
請求項７は、前記の取っ手棒又は延長部、引き出し手段若しくは支持手段に、収納手段の挿入位置を示す１若しくは複数の目印又は前後移動不可能なストッパー鍔を設けてあることを特徴とする請求項１から請求項６までのいずれかに記載の飴玉類のしゃぶり介助具である。
このように、前記の取っ手手段又は引き出し手段若しくは支持手段に、収納手段の挿入位置を示す１又は複数の目印を設けてあるため、介助者は、この目印を見て、口腔内の収納手段の挿入深さを目的に応じて確認できるので、常に危険の無いように監視できる。
１又は複数の目印を必要としない場合は、前後移動不可能なストッパー鍔を設けてあることによって、飴玉類を収納する収納手段を誤嚥するのを確実に防止できる。
【００１３】
請求項８は、前記の収納手段は、ネット又はネット状体から成る袋状をしていて、この袋状部から延びた延長部を有し、
この延長部に挿入する芯状支持手段にストッパー鍔を有し、袋状部側に飴玉類の当接部又は受け部を有し、反対側に取っ手手段を有していることを特徴とする請求項１または請求項２に記載の飴玉類のしゃぶり介助具である。
このように、図１０のように、袋状部から延びた延長部に挿入する芯状支持手段にストッパー鍔を設け、芯状支持手段の袋状部側に飴玉類の当接部又は受け部を有し、反対側に取っ手手段を有しているため、延長部の上から芯状支持手段に輪ゴムを巻き付けたりして、延長部とストッパー鍔を一体的に固定すると、飴玉類や袋状部の誤嚥をストッパー鍔によって確実に防止できるので、介助の必要性も軽減される。
【００１４】
請求項９は、飴玉やタブレットなどのような飴玉類を収納し支持した状態の収納手段の取っ手手段又は引き出し手段若しくは支持手段を介助者が操作して、被介助者の口腔中に収納手段を挿入し又は引き出すことを特徴とする飴玉類のしゃぶり介助方法である。
このように、飴玉やタブレットなどのような飴玉類を収納し支持した状態の収納手段の取っ手手段又は引き出し手段若しくは支持手段を介助者が操作して、被介助者の口腔中に収納手段を挿入したり引き出したりするため、収納手段を口腔中に挿入したり飴玉やタブレットなどが溶けて消失し又は残り少なくなった頃合いに、口腔中の収納手段を引き出すことができる。
【００１５】
請求項１０は、前記の収納手段は、内部の飴玉類をしゃぶった際の唾液が通過できるように、全部又は一部が網目状になっていることを特徴とする請求項７に記載の飴玉類のしゃぶり介助方法である。ガット状は網目状に含まれるものとする。
このように、前記の収納手段は、内部の飴玉類をしゃぶった際の唾液が通過できるように、全部又は一部が網目状になっているので、収納手段の内部の飴玉やタブレットなどが唾液で溶け出し、その甘味で唾液がさらに増えて、自然と飴玉やタブレットなどの成分を摂取可能となる。自然と無意識にしゃぶる動作をする際に、口唇や舌、頬などの筋力が増強されると共に、網目状部が舌と接して相対的に動くため、舌苔の除去効果も期待できる。
【発明の効果】
【００１６】
請求項１のように、飴玉やタブレットなどのような飴玉類を収納し支持可能な収納手段と、前記収納手段を介助者が操作する操作手段を有しているため、介助者が、前記操作手段を用いて前記収納手段を操作することによって、飴玉やタブレットなどを収納支持した収納手段を被介助者の口腔中に挿入したり、飴玉やタブレットなどが溶けて残り少なくなった頃合いに取り出したり、自由に操作できる。
【００１７】
こうしてタブレットをしゃぶることが出来ると、薬用タブレットの呑み込みや誤嚥を防止できるし、自らしゃぶれるように訓練することもできる。また、飴玉やタブレットなどをしゃぶっている間に、唾液が自然と増えて、口腔内の清掃の効果も期待できる。なお、飴玉の場合は甘味があるため、乳幼児や要介護者などは自然と積極的にしゃぶることになり、唾液増加に加えて、口唇や舌、頬などの筋力の増強にもつながる。
【００１８】
請求項２のように、前記の収納手段は、内部の飴玉類をしゃぶった際の唾液が通過できるように、全部又は一部が網目状になっているため、収納手段を口腔内に挿入すると、収納手段の内部の飴玉やタブレットなどが唾液で溶け出し、その甘味で唾液がさらに増加すると共に、自然と飴玉やタブレットなどの成分を摂取可能となる。自然と無意識にしゃぶる動作をする際に、網目状部が舌と接して動くため、舌苔の除去効果も期待できる。
【００１９】
請求項３のように、前記の収納手段は、テニスラケット状体を２枚重ねにして、それぞれのガット状部の間に飴玉類を挟んで収納保持する構造となっているので、ガット状部とその外周の楕円状枠によって飴玉やタブレット類の逃げ出しを阻止でき、唾液はガット状部を通過できるので、網目と同じ効果を奏する。
また、２枚重ねのテニスラケット状体が互いに開閉する構造となっているので、開けた状態で飴玉やタブレットなどを挿入し収納することができる。
【００２０】
請求項４のように、前記のテニスラケット状体の少なくとも舌に当たる側の楕円状枠の一部あるいは全周に舌苔除去用の突起を複数有しているため、飴玉やタブレットなどの入った収納手段を口腔内でしゃぶっている間に、複数の突起の動きによって自然と舌苔が除去される。介助者が、被介助者の舌の上でテニスラケット状体を前後動させてもよい。
前記のようにテニスラケット状体を舌の上で前後動させる必要性の無い場合は、図８のように２枚重ねのテニスラケット状体のそれぞれの楕円状枠から延びた取っ手棒と爪手段を挿通するストッパー鍔を前後移動不可能に設ける構成にすると、袋状部やその中の飴玉類の誤嚥をストッパー鍔によって確実に防止でき、介助者の負担が楽になる。ストッパー鍔を前後動不可能に装着した状態では、一対のテニスラケット状体が開くこともない。
【００２１】
請求項５のように、前記の収納手段は、伸縮性に富んだネットやネット状体から成る袋状をしているので、その中に飴玉やタブレットなどを収納支持できる。そして、この袋状部の開口側を閉じる閉鎖手段を有しているので、内部の飴玉やタブレットなどが抜け出すのを防止できる。また、前記の袋状部から延びた延長部又は開口の閉鎖手段から延びた引き出し手段を有しているので、飴玉やタブレットなどをしゃぶって消失した時点で又は残り少なくなった頃合いに、介助者は、前記延長部や引き出し手段を介して、口腔中の収納手段を口腔から引き出すことができる。
【００２２】
請求項６のように、伸縮性に富んだネット又はネット状体から成る袋状部の開口を閉じる閉じ紐又はこの袋状部から延びた延長部を有し、図４、図５のように、この延長部を支持する筒状若しくは芯状の支持手段又は図７のように前記閉じ紐を挿通支持する支持手段を具備しているので、飴玉やタブレットなどをしゃぶって消失した時点で又は残り少なくなった頃合いに、介助者は、前記支持手段を介して、口腔中の収納手段の前後動その他の操作を行なうことができる。
【００２３】
請求項７のように、前記の取っ手手段又は引き出し手段若しくは支持手段に、収納手段の挿入位置を示す１又は複数の目印を設けてあるため、介助者は、この目印を見て、口腔内の収納手段の挿入深さを目的に応じて確認できるので、常に危険の無いように監視できる。
１又は複数の目印を必要としない場合は、前後移動不可能なストッパー鍔を設けてあることによって、飴玉類を収納する収納手段を誤嚥するのを確実に防止できる。
【００２４】
請求項８によると、図１０のように、袋状部から延びた延長部に挿入する芯状支持手段にストッパー鍔を設け、芯状支持手段の袋状部側に飴玉類の当接部又は受け部を有し、反対側に取っ手手段を有しているため、延長部の上から芯状支持手段に輪ゴムを巻き付けたりして、延長部とストッパー鍔を一体的に固定すると、飴玉類や袋状部の誤嚥をストッパー鍔によって確実に防止できるので、介助の必要性も軽減される。
【００２５】
請求項９のように、飴玉やタブレットなどのような飴玉類を収納し支持した状態の収納手段の取っ手手段又は引き出し手段若しくは支持手段を介助者が操作して、被介助者の口腔中に収納手段を挿入したり引き出したりするため、収納手段を口腔中に挿入したり飴玉やタブレットなどが溶けて消失し又は残り少なくなった頃合いに、口腔中の収納手段を引き出すことができる。
【００２６】
請求項１０のように、前記の収納手段は、内部の飴玉類をしゃぶった際の唾液が通過できるように、全部又は一部が網目状になっているので、収納手段の内部の飴玉やタブレットなどが唾液で溶け出し、その甘味で唾液がさらに増えて、自然と飴玉やタブレットなどの成分を摂取可能となる。自然と無意識にしゃぶる動作をする際に、口唇や舌、頬などの筋力が増強されると共に、網目状部が舌と接して相対的に動くため、舌苔の除去効果も期待できる。
【発明を実施するための最良の形態】
【００２７】
次に本発明による飴玉類のしゃぶり介助具が実際上どのように具体化されるか実施形態を説明する。図１はテニスラケット状のしゃぶり介助具の実施形態を示す斜視図で、一対のテニスラケット状体１、２を有しており、それぞれ楕円状枠ｆの中にガット３を張ってある。片方のテニスラケット状体１の楕円状枠ｆに棒状の取っ手棒４が一体に取付けてあり、その先端にリング状の取っ手５を設けてある。他方の楕円状枠ｆは、柄が無く、引っ掛け用の爪６が取っ手棒４の方に延びている。
【００２８】
一対の楕円状枠ｆ・ｆは、先端の薄肉のヒンジ部７によって、互いに開閉可能に連結されている。また、片方の楕円状枠ｆには、他方の楕円状枠ｆの内周に嵌入できるサイズの小形の楕円壁８をガット３と直角方向に突設してある。
このしゃぶり介助具の使用に際しては、ヒンジ部７を支点にして、図１のように一対の楕円状枠ｆ・ｆを開けた状態で、それぞれのガット３、３間に飴玉などを挿入してから、ヒンジ部７を支点にして一対の楕円状枠ｆ・ｆを閉じることによって、ガット３、３間に飴玉などを挟み込む。片方の楕円状枠ｆと一体の楕円壁８が他方の楕円状枠ｆ中に嵌入しており、その中に飴玉などが入っているので、外に離脱する恐れはない。なお、楕円壁８は不可欠ではなく、また飴玉などを収納した状態では、飴玉などのサイズに応じてガット３、３が膨らむことは当然である。
【００２９】
図２は一対の楕円状枠ｆ・ｆを閉じた状態で、（１）は平面図、（２）側面図、（３）は底面図である。一対の楕円状枠ｆ・ｆが閉じた状態では、前記の楕円壁８が他方の楕円状枠ｆ中に嵌入しているため、互いにロック作用が働いており、容易に開くことはない。
閉じた状態から開く場合は、爪６に指先の爪や薄板先などを挿入して引っ掛けると、ヒンジ部７を支点にして一対の楕円状枠ｆ・ｆを互いに開いて、ガット３・３間に飴玉などを挿入し、収納できる。
こうして一対の楕円状枠ｆ・ｆの内側のガット３・３間に飴玉やタブレットなどのようなしゃぶる物体を収納した状態で、一対のガットつき楕円状枠ｆ・ｆからなる収納手段を、乳幼児や要介護者の口腔中に挿入する。このとき、取っ手５を介助者が手に持って操作する。
【００３０】
取っ手棒４には、楕円状枠ｆ・ｆ寄りに複数の目印ｍ、Ｍを設けてある。一対の楕円状枠ｆ・ｆからなる収納手段を乳幼児の口腔中に挿入する場合は、浅く挿入する必要があるので、楕円状枠ｆ寄りの目印ｍが隠れる程度まで挿入するのがよい。
成人の要介護者の口腔中に挿入する場合だと、取っ手５寄りの目印Ｍが隠れる程度まで挿入すると、飴玉などを保持しているガット３の位置がちょうど舌の真上に位置するように、目印ｍ、Ｍの位置を設定してある。なお、目印ｍ、Ｍは３か所以上に設けてもよいし、１か所だけでもよい。
【００３１】
一対の楕円状枠ｆ・ｆは、ガット３・３面から突出した形状をしているので、楕円状枠ｆ・ｆの先端寄りの表側に舌苔除去用の突起９を複数設けてある。介助者が、この突起９で被介助者の舌の上を前後に擦るように操作すると、被介助者の舌苔を除去できる。
突起９は、片方の楕円状枠ｆだけでよいが、両方の楕円状枠ｆ・ｆに設けてもよい。
【００３２】
ヒンジ部７は、繰り返し強度の強い、耐久性に優れた樹脂で製造できるが、一対の楕円状枠ｆ・ｆと一体成型してもよいし、一体に接着又はネジ等で固定してもよい。
ヒンジ部７を介在させないで、一対の楕円状枠ｆとｆを完全に分離して、別体の構造も可能である。ただし、分離して開閉する構造の場合は、飴玉類を挿入する際の操作性が良くない。
【００３３】
一対の楕円状枠ｆ・ｆが閉じた状態では、前記のように楕円壁８が他方の楕円状枠ｆ中に嵌入して互いにロックされるので、容易に開くことはないが、ロックが不十分と思われる場合は、図１のように取っ手棒４の楕円状枠ｆ寄りに取っ手棒４を横切る方向の凹溝１０を形成し、他方の楕円状枠ｆの爪６には、前記の凹溝１０に嵌入する凸部１１を形成することもできる。凹溝１０を爪６側に設け、凸部１１を取っ手棒４側に設けてもよい。
【００３４】
図３は、他のロック機構を示すための取っ手棒４と爪６の断面図であり、取っ手棒４の偏平半円状の両側の円弧部４ａ、４ｂに被さる弾性爪１２、１３を爪６側に設けてある。したがって、図３（１）のように、左右一対の弾性爪１２、１３間に取っ手棒４の左右両側の円弧部４ａ、４ｂが嵌入している状態では、互いにロックされるので、爪６に指先の爪を引っ掛けたり、尖った器具の先端を引っ掛けて引っ張らない限り、互いに離脱できず、一対の楕円状枠ｆ・ｆを開放できない。
図３（２）は、一対の弾性爪１２、１３と取っ手棒４の円弧部４ａ、４ｂが離脱した状態であり、矢印ａ１、矢印ａ２方向に互いに押し付けると、一対の弾性爪１２、１３間に取っ手棒４の円弧部４ａ、４ｂが強引に嵌入されて、円弧部４ａ、４ｂが弾性爪１２、１３の弾力で挟持されるため、前記のように爪６を引っ掛けて引っ張らない限り離脱できず、確実にロックされる。なお、一対の弾性爪１２、１３を取っ手棒４側に設け、爪６側の円弧部４ａ、４ｂを嵌入させてもよい。
【００３５】
前記のようなテニスラケット状の収納手段に代えて、図４以下のような伸縮性に富んだネットやネット状体から成る袋状の収納手段中に飴玉類を収納支持することもできる。図４（１）は筒状ネット14で、合成樹脂の溶融押し出しによって出て来た糸状物を互いに熱融着させて形成した押し出しネットが適しているが、他の方法でネット形成してもよい。また、通常の糸を筒状に編んだ物でもよい。その一端15は、押し出しネットの場合は熱融着などの手法で閉じて底部とし、熱融着部が露出していると口内を傷つける恐れがあるので、（２）（４）（５）のように裏返して、底部閉鎖手段を内向きにして使用するのが安全である。糸製の場合も、閉じ代部が舌触りを悪くする場合は、裏返した方がよい。
【００３６】
他端１６は開口しており、前記のように裏返してから、飴玉類Ｃを挿入して、底部１５寄りまで移動させると、図４（２）の状態となる。飴玉類Ｃは筒状ネット１４の直径より遙かに大きいため、飴玉類Ｃを収納している袋状の部分Ｂのネットだけが、図示のように網目が伸びて広がり、大きな飴玉類Ｃを収納可能となる。
他の領域すなわち延長部Ｐは、網目の閉じた状態を維持しているので、内部の飴玉類Ｃが容易に移動することはない。
【００３７】
このように、筒状ネット１４の底部１５側の袋状部Ｂに飴玉類Ｃを収納した状態で、袋状部Ｂを被介助者の口腔中に挿入してしゃぶらせることができる。また、筒状ネット１４の網目が閉じた他の部分Ｐが袋状部Ｂから延長しているので、この延長部Ｐを介助者が手に持って、飴玉類Ｃをしゃぶり終えた袋状部Ｂを被介助者の口腔から引き出すことができる。
しかし、筒状ネット１４は柔軟で、剛性が弱いため、ネット製の延長部Ｐで飴玉類Ｃを支持することはできない。したがって、飴玉類Ｃの入った袋状部Ｂを介助者が指で摘んで被介助者の口腔中に挿入することになり、不衛生でもある。
この問題を防ぐには、（３）のような偏平筒１７中に（４）のように筒状ネット１４の延長部Ｐを挿通して支持手段とし、偏平筒１７を手に持って操作するのがよい。即ち、（２）のように飴玉類Ｃを挿入した状態で、飴玉類Ｃの入っている袋状部Ｂから延びた延長部Ｐを、開口部１６から偏平筒１７中に矢印ａ３方向に挿入して、（４）のように挿通する。
【００３８】
開口部１６側は偏平筒１７から突き出した状態となるので、（５）のように偏平筒１７の外側に折り返して重ねると、偏平筒１７から筒状ネット１４が抜けるのを防止できる。開口部１６の全周を偏平筒１７の端部に被せるように裏返して重ねてもよい。
折り返し状態で矢印ａ４、矢印ａ５方向に、クリップなどで挟み着けて仮固定した状態で、偏平筒１７を介助者が手に持って、飴玉類Ｃの入った袋状部を被介助者の口腔中に挿入したり、舌の上で前後動させたり操作できる。飴玉類Ｃの入ったネット製の袋状部を舌の上で前後動させると、舌苔の除去も可能となる。
なお、１７は偏平状以外の筒体も可能であり、筒体１７にも、前記のような目印ｍ、Ｍを設けると便利である。
【００３９】
図５（１）は、筒状ネット１４の前記延長部Ｐ中に芯体１８を挿入して、この芯体１８を支持手段にしている。ただし、内部の飴玉類Ｃに芯体１８が突き当たるのを防ぐために、飴玉類Ｃと芯体１８の先端との間が括れるように、締め付け紐１９でしばってある。この紐１９は、（２）のように裏返した筒状ネット１４に周方向に予め通してある。すなわち、（３）のように、筒状ネット１４の網目中に内外交互に紐１９を約１周通過させ、筒状ネット１４以外に延びた２本の紐１９はストッパー筒２０中に挿通する。
【００４０】
使用に当たっては、（２）の筒状ネット１４の底部１５寄りの袋状部中に飴玉類Ｃを挿入してから、紐１９を片手に持って、ストッパー筒２０を他方の手で筒状ネット１４側に最終位置まできつく移動させると、紐１９で筒状ネット１４が締め付けられて、袋状部寄りの根元が括れた状態となる。ストッパー筒２０は、ゴム筒のように伸縮性又は柔軟性に富んだ材質を用いると、内部の紐１９を弾力で締め付けるので、くびれ部はゆるみにくい。
【００４１】
次いで芯体１８を開口部１６から挿入すると、芯体１８の先端は括れ部に突き当たるので、飴玉類Ｃの位置まで到達することはない。（１）のように、芯体１８の根元側を筒状ネット１４の開口部１６から露出させると、芯体１８も筒状ネット１４も操作がし易くなる。クリップなどで、筒状ネット１４を芯体１８に加圧して仮固定しておくと、一体性が増すので、飴玉類Ｃの出し入れ操作がし易い。
こうして、飴玉類Ｃを収納する袋状部からくびれ部を経て延長している延長部Ｐ中に芯体１８を挿入してあると、芯体１８を持って飴玉類Ｃ側を操作できる。したがって、芯体１８は、歯で噛んでも受ける衝撃が弱くなるように、軟質の合成樹脂製の板状ないし棒状体、あるいは筒状体などが適している。なお、この場合は、ネット製の延長部Ｐ又は内部の芯体１８に目印ｍ、Ｍを設ける。
【００４２】
芯体１８が無い場合は、前記のように延長部Ｐを摘んで、口腔内の袋状部を引き出したり、閉鎖用の閉じ紐１９を引っ張って、袋状部を引き出すこともできる。
筒状ネット１４は、図６、図７のように、袋状部の延長部Ｐを除去した構成とし、引き出し操作用の紐１９ａで、飴玉類Ｃをしゃぶった後の袋状部を口腔から取り出すこともできる。
図６（１）は、図５において、筒状ネット１４の紐１９の取付け領域を残して、延長部Ｐを切除した構成である。この状態において、紐１９を引き出し紐１９ａにしてもよいが、切り口１４ｃが露出していると、口腔内や舌を傷つける恐れがあるので、（２）のように、切り口１４ｃを外側に１〜２ｃｍ程度を裏返して重ねた状態で、筒状ネット１４を全体的に裏返しにすると、（３）のように、熱融着底部１５が裏返されて内側に入り、切り口１４ｃも内側に折り返された構造となり、底部１５も切り口１４ｃも外に露出しない、安全な状態となる。
【００４３】
この状態において、図６（３）のように開口側の網目中に内外交互に引き出し紐１９ａを通して締め付け可能とする。この場合、切り口１４ｃ（袋の開口）側は、折り重ねた状態の２枚のネットに引き出し紐１９ａを内外交互に通すのがよい。
引き出し紐１９ａの筒状ネット１４以外の部分を、ストッパー筒２０に挿通することは言うまでもない。この引き出し紐１９ａの先端１９ｂは、指を通せるように連結して半環状１９ｒとし、全体としてエンドレスの引き出し紐１９ａとすると、引き出し操作が容易になる。
【００４４】
このように、ストッパー筒２０を矢印ｔ方向にスライドして筒状ネット１４を締め付けて、飴玉類Ｃ収納部の開口を締め付け閉鎖した状態で、締め付け部から延長した引き出し紐１９ａを持って、被介助者の口腔中の袋状部を引き出すことができる。
しかし、引き出し紐１９ａだけだと、しゃぶった後の袋状部を引き出すことはできても、被介助者の口腔中に飴玉類Ｃを挿入する操作は手で行なうことになり、操作性が良くない。また、不衛生でもある。
そこで、図７では、図６の引き出し紐１９ａを挿通して、飴玉類Ｃの入った袋状部を保持し操作する取っ手棒２１を設けてある。（１）図の取っ手棒２１は、引き出し紐１９ａを挿通する小孔ｈを開けてあり、ストッパー筒２０から引き出した引き出し紐１９ａを小孔ｈに挿通した状態で、先端１９ｂを連結して、指を通せるように半円輪状１９ｒに形成してある。
【００４５】
その結果、取っ手棒２１のリング状の取っ手５を手で持った状態で、引き出し紐１９ａの半円状輪１９ｒに指を挿入して引っ張ると、括れ部がストッパー筒２０を挟んだ状態で、取っ手棒２１先端に引きつけられて固定支持されるので、飴玉類Ｃの入った袋状部を確実に支持した状態で、被介助者の口腔中に挿入できる。
また、被介助者の舌の上に飴玉類Ｃを載せた状態で、取っ手棒２１を前後動させると、ネットからなる袋状部で舌苔を除去することもできる。
【００４６】
（２）図の取っ手棒２１は、その先端の孔ｈに加えて、間隔をおいて２個の挿通孔ｈ１、ｈ２を開けてあって、引き出し紐１９ａを挿通孔ｈ→ｈ１、ｈ２の順にかつ交互にジグザグ状に挿通してある。
その結果、飴玉類Ｃを収納した後、引き出し紐１９ａのストッパー筒２０をスライドさせて締め付けて括れ部を形成した状態で、前記のようにしてストッパー筒２０が取っ手棒２１先端に圧接するように、半円状輪１９ｒに指を挿入して引き出し紐１９ａを引っ張ると、複数の小孔ｈ、ｈ１、ｈ２の滑り阻止作用によって、括れ部が弛んだり、飴玉類Ｃの保持力が低下するのを防止できる。
そのため、取っ手棒２１を持って操作に集中することができる。
【００４７】
飴玉類Ｃの入った袋状部Ｂを操作するための前記の取っ手棒４や延長部Ｐ、筒状や芯状の支持手段１７、１８、引き出し紐１９ａ、取っ手棒２１などを手で持っておけば、飴玉類の誤嚥を防止できるが、図４（５）のように、偏平筒１７にストッパー鍔Ｓを設けることによっても呑み込み不能となり、誤嚥防止できる。
例えば図８と同様な構造によって、ストッパー鍔Ｓが目印ｍやＭの位置で前後移動できないように偏平筒１７に取付けておけば、ストッパー鍔Ｓが唇の外に当たって、口腔内には移動できないため、袋状部Ｂの呑み込みは不可能となる。乳幼児のおしゃぶりと同じ原理である。
従って、ストッパー鍔Ｓ付き構造にすると、介助者が常に付き添って監視する負担も解消される。また、目印ｍやＭも不必要となる。
【００４８】
図８は、図１、図２のテニスラケット状の収納部の取っ手棒４に、目印ｍやＭに代えて、ストッパー鍔Ｓを設けた実施形態であり、図２（２）の取っ手棒４の根元側の目印ｍ位置にストッパー鍔Ｓを取付けてある。
このストッパー鍔Ｓは、楕円板の中央に、取っ手棒４の挿通孔Ｈを開け、例えば１８０度位置に突起通過用の凹孔Ｈ１、Ｈ２を開けてある。この凹孔Ｈ１、Ｈ２の前後には、取っ手棒４や爪６と一体の突起２２、２３を設けてある。ただし、取っ手５寄りの突起２２は突起高さが低く、前記凹孔Ｈ１、Ｈ２中を通過できるのに対し、楕円状枠ｆ寄りの突起２３は凹孔Ｈ１、Ｈ２より高いので、ストッパー鍔Ｓは高い突起２３に阻止されて、楕円状枠ｆ側に移動できない。
【００４９】
Ｂ−Ｂ方向の断面図で示すと、図８（２）（３）のようになる。（２）図は、（１）図のように、突起２２、２３の位置とストッパー鍔Ｓの凹孔Ｈ１、Ｈ２が一致していて、凹孔Ｈ１、Ｈ２中を低い方の突起２２が通過可能な状態である。この状態のストッパー鍔Ｓを矢印のように右方向又は左方向に約９０度回転させると、（３）図のように、凹孔Ｈ１、Ｈ２が水平状態となり、凹孔Ｈ１、Ｈ２の無い挿通孔Ｈ位置が突起２２と２３間に移動する。
【００５０】
その結果、ストッパー鍔Ｓは突起２２、２３に阻止されて、前後方向に移動不能となるので、楕円状枠ｆ側を被介助者が口腔中でしゃぶっている際に、ストッパー鍔Ｓが楕円状枠ｆや飴玉類Ｃの誤嚥防止として機能する。
しかも、ストッパー鍔Ｓの凹孔Ｈ１、Ｈ２の無い挿通孔Ｈ位置によって、取っ手棒４と爪６を上下から挟んだ状態となるので、図１のように上下のテニスラケット状体１、２が開くことはない。従って、図３のようなロック機構は必ずしも必要ない。
【００５１】
被介助者の口腔中の飴玉類Ｃが溶けた後は、ストッパー鍔Ｓを約９０度左右に回転させて（２）図の状態に戻してから、ストッパー鍔Ｓを取っ手５側に移動させると、凹孔Ｈ１、Ｈ２が低い方の突起２２・２２を通過して、爪６の位置から退避するので、取っ手棒４に対し爪６側を相対的に開いて、図１のように一対のテニスラケット状体１、２を開いて、内側に飴玉類を挿入することが可能となる。
飴玉類を挿入後は、ストッパー鍔Ｓを楕円状枠ｆ側に移動させ、凹孔Ｈ１、Ｈ２が低い方の突起２２・２２を通過してから、左又は右に９０度回転させて、ストッパー鍔Ｓが前後方向に移動不可能にする。なお、ストッパー鍔Ｓは、真円状でもよい。
【００５２】
図９は、図４の袋状部Ｂと一体のネット製の延長部Ｐをストッパー鍔Ｓの中央孔Ｈに挿通する実施形態である。袋状部Ｂ中に飴玉類Ｃを挿入してから、延長部Ｐをストッパー鍔Ｓの中央孔Ｈに挿通し、目印ｍ位置の付近で延長部Ｐを縛って瘤２４を形成してある。
その結果、瘤２４によって、ストッパー鍔Ｓの開口部１６側への移動が阻止されるので、位置決めされる。
ストッパー鍔Ｓは、飴玉類Ｃの入った袋状部Ｂ側には移動できるので、飴玉類が溶けた後は、袋状部Ｂが中央孔Ｈを通過して、瘤２４側すなわち口腔の外側に抜けるので、特に問題とならず、誤嚥の恐れはない。
【００５３】
瘤２４を形成するのが面倒な場合は、ピン２５を延長部Ｐの網目中に差し込んで、先端をＵ字状に折り曲げると、瘤２４の代用となる。
従って、袋状部Ｂ中に飴玉類Ｃを挿入してから、延長部Ｐをストッパー鍔Ｓの中央孔Ｈに挿通し、目印ｍ位置又はＭ位置にストッパー鍔Ｓを移動させて、その前後両側にピン２５を差し込んで、Ｕ字状に折り曲げると、ストッパー鍔Ｓは前後に移動不能となり、抜ける恐れもない。
このように、ピン２５を網目に差し込む構造の場合は、図５のような芯体１８の挿入も可能である。ただし、中央孔Ｈは、延長部Ｐ中に挿入した芯体１８が通過可能な形状とする必要がある。
【００５４】
図１０は、図５における芯体１８上の延長部Ｐを前後２か所で輪ゴムＧ１・Ｇ２によって結束すると共に、中間位置にストッパー鍔Ｓを取付けた構造になっており、ストッパー鍔Ｓの外側すなわち被介助者の口腔に対し反対側に取っ手５を設けてある。
従って、円状や楕円状のストッパー鍔Ｓより被介助者の口腔側の芯体１８ａの先端の受け部ないし当接部ｃに飴玉類Ｃが当接し、反対側すなわち外側の芯体１８ｂに取っ手５を一体に有しているので、一見すると乳児用の「おしゃぶり」状を呈している。
使用に際しては、袋状部Ｂ中に飴玉類Ｃを挿入してから、ストッパー鍔Ｓ付きの芯体１８ａ、１８ｂを一緒に、破線で示す筒状ネット１４の延長部Ｐ中に挿入する。次いで、芯体１８ａ上の延長部Ｐの外側に輪ゴムＧ１を巻き着けると共に、芯体１８ｂ側の前記延長部Ｐにも輪ゴムＧ２を巻き着ける。
このように、ストッパー鍔Ｓ付きの場合は、飴玉類Ｃや袋状部Ｂの誤嚥をストッパー鍔Ｓによって防止できるので、介助者の負担が軽減される。
【００５５】
図１０の（３）図は、ストッパー鍔Ｓの外周の形状が円状でなく、複数の角部２６を有する形状になっているため、（４）図のように破線で示す延長部Ｐ中に挿入した際に、角部２６が延長部Ｐの網目中に嵌入して、放射方向に突出する。
その結果、被介助者が袋状部Ｂを飲み込もうとしても、延長部Ｐの網目に角部２６が嵌入し引っ掛かっているので、延長部Ｐが移動したり抜けたりする恐れはなく、ストッパー鍔Ｓで確実に誤嚥を防止できる。
（３）図のストッパー鍔Ｓは正方形に近い形状だが、隣接する角部２６・２６の間を鎖線のように凹状に湾曲させてもよい。
なお、乳幼児用を想定して目印ｍ位置にストッパー鍔Ｓを取付ける例を説明したが、高齢者などの成人用の場合は、目印Ｍ位置にストッパー鍔Ｓを設けることは言うまでもない。
【００５６】
以上のように、筒状ネット１４の一端に形成した袋状部Ｂは、伸縮性に富んでいるので、飴玉類Ｃの形状のいかんを問わす、また飴玉類に限定されず、例えばビスケットなどのような焼き菓子などを収納しておけば、唾液で自然と溶けだすので、多種の菓子類や食品の誤嚥防止に適用でき、被介助者の食生活が豊かになり、生活の質が向上する。また、伸縮性に富んだ筒状ネット１４からなる延長部Ｐ中には、大径のストッパー鍔Ｓを容易に挿入できる。
【産業上の利用可能性】
【００５７】
以上のように、本発明によると、飴玉や金平糖、タブレットなどのような飴玉類を収納して支持可能な袋状部やテニスラケット状などの収納手段に引き出し紐を設けて、被介助者の口腔中から収納手段を引き出したり、取っ手棒などの取っ手手段を介助者が持って、前記収納手段を前後操作したりできる。その結果、乳幼児や要介護者などが飴玉類を飲み込まないで、口腔中で確実にしゃぶれるような介助具を実現できる。また、取っ手棒や延長部、引き出し手段、支持手段などの操作やストッパー鍔によって、飴玉類の誤嚥を防止できるため、誤嚥に起因する高齢者の肺炎対策としても有効で、医療的効果も期待できる。
【図面の簡単な説明】
【００５８】
【図１】テニスラケット状のしゃぶり介助具の実施形態を示す斜視図である。
【図２】一対の楕円状枠を閉じた状態で、（１）は平面図、（２）側面図、（３）は底面図である。
【図３】一対の楕円状枠の他のロック機構で、（１）は閉じた状態、（２）は分離した状態である。
【図４】袋状部を形成する筒状ネットを操作用の偏平筒に挿通する実施形態を示す図である。
【図５】筒状ネット中に操作用の芯体を挿入する実施形態を示す図である。
【図６】ネット製袋状部に引き出し紐をつないだ実施形態を示す図である。
【図７】ネット製袋状部につないだ引き出し紐を挿通して飴玉類を保持する取っ手棒を有する実施形態を示す図である。
【図８】テニスラケット状のしゃぶり介助具にストッパー鍔を設けた実施形態で、（１）は側面図、（２）（３）はＢ−Ｂ断面図である。
【図９】袋状部の延長部にストッパー鍔を着脱式に取付けた実施形態である。
【図１０】おしゃぶり状の飴玉類支持具で、（１）（２）は円板状のストッパー鍔、（３）（４）は角部つきのストッパー鍔である。
【符号の説明】
【００５９】
１・２  テニスラケット状体
ｆ  楕円状枠
３  ガット状部
４  取っ手棒
４ａ・４ｂ  円弧部
５  取っ手
６  爪
７  ヒンジ部
８  小形の楕円壁
ｍ・Ｍ  目印
９  舌苔除去用の突起
１０  凹溝
１１  凸部
１２・１３  弾性爪
１４  筒状ネット
１４ｃ  切り口
１５  熱融着底部
１６  開口部
１７  偏平筒
Ｂ  袋状部
Ｐ  延長部
Ｃ  飴玉類
ｃ  飴玉類の受け部又は当接部
１８  芯体
１９  締め付け紐
１９ａ  引き出し紐
１９ｒ  半環状部
２０  ストッパー筒
２１  取っ手棒
ｈ・ｈ１・ｈ２  挿通孔
２２・２３  突起
Ｇ１・Ｇ２  輪ゴム
Ｈ  挿通孔
Ｈ１・Ｈ２  凹孔
２６  嵌入角
【図１】
2010042193.tif 000003
【図２】
2010042193.tif 000004
【図３】
2010042193.tif 000005
【図４】
2010042193.tif 000006
【図５】
2010042193.tif 000007
【図６】
2010042193.tif 000008
【図７】
2010042193.tif 000009
【図８】
2010042193.tif 000010
【図９】
2010042193.tif 000011
【図１０】
2010042193.tif 000012
【手続補正書】
【提出日】平成21年1月19日(2009.1.19)
【手続補正１】
【補正対象書類名】特許請求の範囲
【補正対象項目名】全文
【補正方法】変更
【補正の内容】
【特許請求の範囲】
【請求項１】
飴玉やタブレットなどのような飴玉類を収納して支持可能な収納手段を、その操作手段によって介助者が操作する介助具であって、
テニスラケット状体を２枚重ねにして、それぞれのガット状部の間に飴玉類を挟んで収納保持する構造となっており、
２枚重ねのテニスラケット状体が互いに開閉する構造となっていることを特徴とする飴玉類のしゃぶり介助具。
【請求項２】
２枚重ねのテニスラケット状体の楕円状枠のそれぞれから延びた取っ手棒と爪手段を挿通するストッパー鍔を前後移動不可能に装着可能な構造としたことを特徴とする請求項１に記載のしゃぶり介助具。
【請求項３】
一対の楕円状枠は、先端のヒンジ部によって、互いに開閉可能に連結されていると共に、前記の取っ手棒並びに爪手段それぞれと一体の突起を設けてあり、前記のそれぞれの突起が通過可能な一対の凹孔を前記のストッパー鍔の取っ手棒挿通孔内面の１８０度位置に設けてあることを特徴とする請求項１または請求項２に記載のしゃぶり介助具。
【請求項４】
一対の楕円状枠の少なくとも片側の楕円状枠の一部あるいは全周の表側面に舌苔除去用の突起を複数設けたことを特徴とする請求項１、請求項２または請求項３に記載のしゃぶり介助具。
【請求項５】
取っ手棒又は爪手段側の偏平半円状の両側の円弧部に被さる左右一対の弾性爪を前記爪手段側又は取っ手棒側に設けて、一対の弾性爪間に取っ手棒又は爪手段側の左右両側の円弧部が嵌入すると、互いにロックされる構造であることを特徴とする請求項１から請求項４までのいずれかに記載のしゃぶり介助具。
【請求項６】
片方の楕円状枠には、他方の楕円状枠の内周に嵌入できるサイズの小形の楕円壁をガット面と直角方向に突設し、前記の小形楕円壁が他方の楕円状枠中に嵌入することによって、互いにロックされる構造であることを特徴とする請求項１から請求項５までのいずれかに記載のしゃぶり介助具。
【請求項７】
取っ手棒又は爪手段の楕円状枠寄りに横切る方向の凹溝を形成し、他方の楕円状枠の爪手段又は取っ手棒には、前記の凹溝に嵌入する凸部を形成し、前記凹溝中に前記凸部が嵌入することによって、互いにロックされる構造であることを特徴とする請求項１から請求項６までのいずれかに記載のしゃぶり介助具。
【請求項８】
取っ手棒および／又は爪手段には、口腔中への挿入深さを示すための１以上の目印を設けてあることを特徴とする請求項１から請求項７までのいずれかに記載の飴玉類のしゃぶり介助具。
【手続補正２】
【補正対象書類名】明細書
【補正対象項目名】全文
【補正方法】変更
【補正の内容】
【発明の詳細な説明】
【技術分野】
【０００１】
本発明は、飴玉やタブレットなどのしゃぶり介助具に関する。乳幼児や要介護者などに薬用のタブレットを与えると、しゃぶらないで飲み込んでしまう恐れがあるので、それを防ぐには、特別の介助具が必要となる。また、予め飴玉などをしゃぶらせて、甘味の少ないタブレットなども抵抗無くしゃぶれるように練習することもできる。その場合も、飴玉などがしゃぶれるように、予め練習させるのが望ましい。
本発明は、このように飴玉や金平糖、タブレットなど（以下「飴玉類」と略す）をしゃぶれるようにする介助具に関する。
【背景技術】
【０００２】
前記のように、飴玉類を飲み込まずに、しゃぶれるようにする介助具を実現するには、飴玉やタブレットなどを網目状の袋に収納して、飲み込めないように紐などを連結しておいて、この紐などを介助者が操作する手法を発明した。この手法によって飴玉やタブレットなどを無意識にしゃぶるようになると、唾液が自然と増えて、結果的に口腔内の清掃効果も期待できる。
【０００３】
そこで、同様な先行技術の有無を調査した結果、特許文献１の存在を確認できた。特許文献１の記載は、手を使わず咀嚼することで口腔内の清掃が可能で、高齢者や障害者にも容易に使用できる口腔内清掃具を提供すべく、合成繊維不織布にて球体を形成し、その球体表面に凹凸を設けて金平糖状に形成し、その中心より誤嚥防止の紐及び把手又は安全ピンを付けた口腔内清掃具を提案している。
【特許文献１】特開2003−153922号
【発明の開示】
【発明が解決しようとする課題】
【０００４】
しかしながら、特許文献１に記載のように金平糖状の合成繊維不織布製の球体を咀嚼させようとしても、合成繊維不織布の球体表面が凹凸状であるため、咀嚼者にとっては違和感が強く、自ら積極的に咀嚼してくれるとは思えない。それどころか、異物と勘違いして吐き出す恐れがあるので、口腔内清掃は期待薄であり、飴玉やタブレットなどの呑み込み防止の練習にも利用できない。
本発明の技術的課題は、このような問題に着目し、飴玉やタブレットなどを飲み込めないよう、口腔中で確実にしゃぶれるようにする介助具を実現することにある。
【課題を解決するための手段】
【０００５】
本発明の技術的課題は次のような手段によって解決される。請求項１は、飴玉やタブレットなどのような飴玉類を収納して支持可能な収納手段を、その操作手段によって介助者が操作する介助具であって、
テニスラケット状体を２枚重ねにして、それぞれのガット状部の間に飴玉類を挟んで収納保持する構造となっており、
２枚重ねのテニスラケット状体が互いに開閉する構造となっていることを特徴とする飴玉類のしゃぶり介助具である。飴玉類とは、飴玉やタブレットなどのように、しゃぶって摂取できる物を総称するものとする。
このように、テニスラケット状体を２枚重ねにして、それぞれのガット状部の間に飴玉類を挟んで収納保持する構造となっており、しかも２枚重ねのテニスラケット状体が互いに開閉する構造となっているので、２枚重ねのテニスラケット状体を開いて、飴玉やタブレットなどを収納支持した状態で、ガット状部を被介助者の口腔中に介助者が挿入したり、飴玉やタブレットなどが溶けて残り少なくなった頃合いに取り出したり、自由に操作できる。
テニスラケット状体のガット状部の間に飴玉類を挟んで収納保持するため、飴玉類をしゃぶった際の唾液がガット状部を通過するので、被介助者の口腔中でガット状部間の飴玉類が唾液で溶け出し、その甘味で唾液がさらに増加すると共に、自然と飴玉やタブレットなどの成分を摂取可能となる。自然と無意識にしゃぶる動作をする際に、ガット状部が舌と接して動くため、舌苔の除去効果も期待できる。
【０００６】
こうしてテニスラケット状体のガット状部を通してタブレットをしゃぶることが出来るので、薬用タブレットの呑み込みや誤嚥を防止できるし、自らしゃぶれるように訓練することもできる。また、飴玉やタブレットなどをしゃぶっている間に、唾液が自然と増えて、口腔内の清掃の効果も期待できる。なお、飴玉の場合は甘味があるため、乳幼児や要介護者などは自然と積極的にしゃぶることになり、唾液増加に加えて、口唇や舌、頬などの筋力の増強にもつながる。
【０００７】
請求項２は、図８のように、２枚重ねのテニスラケット状体の楕円状枠のそれぞれから延びた取っ手棒と爪手段を挿通するストッパー鍔を前後移動不可能に装着可能な構造としたことを特徴とする請求項１に記載のしゃぶり介助具である。
このように、２枚重ねのテニスラケット状体の楕円状枠のそれぞれから延びた取っ手棒と爪手段を挿通するストッパー鍔を前後移動不可能に装着した状態では、飴玉類を収納している楕円状枠部の誤嚥をストッパー鍔によって防止できるので、介助者の負担が軽くなり、常に付き添って監視する負担も解消される。しかも、ストッパー鍔を前後動不可能に装着した状態では、一対のテニスラケット状体が開くこともない。
【０００８】
請求項３は、図１、図８のように、一対の楕円状枠ｆ・ｆは、先端のヒンジ部７によって、互いに開閉可能に連結されていると共に、前記の取っ手棒並びに爪手段それぞれと一体の突起２２、２３を設けてあり、前記のそれぞれの突起２２、２３が通過可能な一対の凹孔Ｈ１、Ｈ２を前記のストッパー鍔の取っ手棒挿通孔内面の１８０度位置に設けてあることを特徴とする請求項１または請求項２に記載のしゃぶり介助具である。
このように、一対の楕円状枠ｆ・ｆは、先端のヒンジ部７によって、互いに開閉可能に連結されているので、開けた状態で飴玉やタブレットなどを挿入し収納することができる。
【０００９】
また、前記の取っ手棒並びに爪手段それぞれと一体の突起２２、２３を設けてあり、それぞれの突起２２、２３が通過可能な一対の凹孔Ｈ１、Ｈ２を前記のストッパー鍔の取っ手棒挿通孔内面の１８０度位置に設けてあるので、各突起２２、２３の位置とストッパー鍔Ｓの各凹孔Ｈ１、Ｈ２が一致していて、各凹孔Ｈ１、Ｈ２中を各突起２２が通過可能な状態において、ストッパー鍔Ｓを右方向又は左方向に約９０度回転させると、（３）図のように、各凹孔Ｈ１、Ｈ２が水平状態となり、各凹孔Ｈ１、Ｈ２の無い取っ手棒挿通孔Ｈ位置が各突起２２と２３間に移動する。その結果、ストッパー鍔Ｓは各突起２２、２３に阻止されて、前後方向に移動不能となり、楕円状枠ｆ側を被介助者が口腔中でしゃぶっている際に、ストッパー鍔Ｓが楕円状枠ｆや飴玉類Ｃの誤嚥防止として機能する。
しかも、ストッパー鍔Ｓの各凹孔Ｈ１、Ｈ２の無い取っ手棒挿通孔Ｈ位置によって、取っ手棒４と爪手段６を上下から挟んだ状態となるので、上下のテニスラケット状体１、２が図１のように開くことはない。
【００１０】
請求項４は、図２のように、一対の楕円状枠ｆ・ｆの少なくとも片側の楕円状枠の一部あるいは全周の表側面に舌苔除去用の突起を複数設けたことを特徴とする請求項１、請求項２または請求項３に記載のしゃぶり介助具である。
このように、一対の楕円状枠ｆ・ｆの少なくとも片側の楕円状枠の一部あるいは全周の表側面に舌苔除去用の突起を複数設けてあるので、飴玉やタブレットなどの入った一対のテニスラケット状体を口腔内でしゃぶっている間に、複数の突起や舌の動きによって自然と舌苔が除去される。介助者が、被介助者の舌の上でテニスラケット状体を前後動させてもよい。
【００１１】
請求項５は、図３のように、取っ手棒又は爪手段側の偏平半円状の両側の円弧部に被さる左右一対の弾性爪を前記爪手段側又は取っ手棒側に設けて、一対の弾性爪間に取っ手棒又は爪手段側の左右両側の円弧部が嵌入すると、互いにロックされる構造であることを特徴とする請求項１から請求項４までのいずれかに記載のしゃぶり介助具である。
したがって、図３（１）のように、取っ手棒４の偏平半円状の両側の円弧部４ａ、４ｂに被さる左右一対の弾性爪１２、１３を前記爪手段６側に設けて、一対の弾性爪１２、１３間に取っ手棒４の左右両側の円弧部４ａ、４ｂを嵌入させた状態では、互いにロックされるので、互いに離脱できず、一対の楕円状枠ｆ・ｆを開放できない。
図３（２）のように、弾性爪１２、１３と取っ手棒４の円弧部４ａ、４ｂが離脱した状態において、矢印ａ１、矢印ａ２方向に互いに押し付けると、一対の弾性爪１２、１３間に取っ手棒４の円弧部４ａ、４ｂが強引に嵌入されて、円弧部４ａ、４ｂが弾性爪１２、１３の弾力で挟持されるため、爪手段６を引っ掛けて引っ張らない限り離脱できず、確実にロックされる。なお、一対の弾性爪１２、１３を取っ手棒４側に設け、爪手段６側に設けた円弧部４ａ、４ｂを嵌入させてもよい。
【００１２】
請求項６は、図１のように、片方の楕円状枠ｆには、他方の楕円状枠ｆの内周に嵌入できるサイズの小形の楕円壁８をガット３面と直角方向に突設し、前記の小形楕円壁８が他方の楕円状枠ｆ中に嵌入することによって、互いにロックされる構造であることを特徴とする請求項１から請求項５までのいずれかに記載のしゃぶり介助具である。
このように、片方の楕円状枠ｆには、他方の楕円状枠ｆの内周に嵌入できるサイズの小形の楕円壁８をガット３面と直角方向に突設し、前記の小形楕円壁８が他方の楕円状枠ｆ中に嵌入することによって、互いにロックされる構造であるため、一対の楕円状枠ｆ・ｆが閉じた状態では、前記の小形楕円壁８が他方の楕円状枠ｆ中に嵌入しているので、互いにロック作用が働いており、容易に開くことはない。閉じた状態から開く場合は、爪手段６に指先の爪や薄板先などを挿入して引っ掛けると、ヒンジ部７を支点にして一対の楕円状枠ｆ・ｆを互いに開いて、ガット３・３間に飴玉などを挿入し、収納できる。
【００１３】
請求項７は、取っ手棒４又は爪手段６の楕円状枠ｆ寄りに横切る方向の凹溝１０を形成し、他方の楕円状枠ｆの爪手段６又は取っ手棒４には、前記の凹溝１０に嵌入する凸部１１を形成し、前記凹溝１０中に前記凸部１１が嵌入することによって、互いにロックされる構造であることを特徴とする請求項１から請求項６までのいずれかに記載のしゃぶり介助具である。
図２のように、一対の楕円状枠ｆ・ｆが閉じた状態では、図１の小形楕円壁８が他方の楕円状枠ｆ中に嵌入して互いにロックされるので、容易に開くことはないが、ロックが不十分と思われる場合は、図１のように取っ手棒４の楕円状枠ｆ寄りに取っ手棒４を横切る方向の凹溝１０を形成し、他方の楕円状枠ｆの爪手段６には、前記の凹溝１０に嵌入する凸部１１を形成することもできる。凹溝１０を爪手段６側に設け、凸部１１を取っ手棒４側に設けてもよい。
【００１４】
請求項８は、取っ手棒４および／又は爪手段６に、口腔中への挿入深さを示すための１以上の目印ｍ、Ｍを設けてあることを特徴とする請求項１から請求項７までのいずれかに記載の飴玉類のしゃぶり介助具である。
このように、前記の取っ手棒４および／又は爪手段６に、口腔中への挿入深さを示すための１以上の目印ｍ、Ｍを設けてあるため、介助者は、この目印を見て、口腔内への楕円状枠の挿入深さを目的に応じて確認できるので、常に危険の無いように監視できる。
１又は複数の確認目印の必要が無い場合は、前後移動不可能にストッパー鍔Ｓを装着してあることによって、飴玉類を収納した楕円状枠を誤嚥するのを確実に防止できる。
【発明の効果】
【００１５】
請求項１のように、テニスラケット状体を２枚重ねにして、それぞれのガット状部の間に飴玉類を挟んで収納保持する構造となっており、しかも２枚重ねのテニスラケット状体が互いに開閉する構造となっているので、２枚重ねのテニスラケット状体を開いて、飴玉やタブレットなどを収納支持した状態で、ガット状部を被介助者の口腔中に介助者が挿入したり、飴玉やタブレットなどが溶けて残り少なくなった頃合いに取り出したり、自由に操作できる。
テニスラケット状体のガット状部の間に飴玉類を挟んで収納保持するため、飴玉類をしゃぶった際の唾液がガット状部を通過するので、被介助者の口腔中でガット状部間の飴玉類が唾液で溶け出し、その甘味で唾液がさらに増加すると共に、自然と飴玉やタブレットなどの成分を摂取可能となる。自然と無意識にしゃぶる動作をする際に、ガット状部が舌と接して動くため、舌苔の除去効果も期待できる。
【００１６】
請求項２のように、２枚重ねのテニスラケット状体の楕円状枠の取っ手棒と爪手段を挿通するストッパー鍔を前後移動不可能に装着した状態では、飴玉類を収納している楕円状枠部の誤嚥をストッパー鍔によって防止できるので、介助者の負担が軽くなり、常に付き添って監視する負担も解消される。しかも、ストッパー鍔を前後動不可能に装着した状態では、一対のテニスラケット状体が開くこともない。
【００１７】
請求項３のように、一対の楕円状枠ｆ・ｆは、先端のヒンジ部７によって、互いに開閉可能に連結されているので、開けた状態で飴玉やタブレットなどを挿入し収納することができる。
また、前記の取っ手棒並びに爪手段それぞれと一体の突起２２、２３を設けてあり、それぞれの突起２２、２３が通過可能な一対の凹孔Ｈ１、Ｈ２を前記のストッパー鍔の取っ手棒挿通孔内面の１８０度位置に設けてあるため、各突起２２、２３の位置とストッパー鍔Ｓの各凹孔Ｈ１、Ｈ２を一致させて、ストッパー鍔Ｓを右方向又は左方向に約９０度回転させると、ストッパー鍔Ｓは各突起２２、２３に阻止されて、前後方向に移動不能となり、楕円状枠ｆ側を被介助者が口腔中でしゃぶっている際に、ストッパー鍔Ｓが楕円状枠ｆや飴玉類Ｃの誤嚥防止として機能する。
しかも、ストッパー鍔Ｓの各凹孔Ｈ１、Ｈ２の無い取っ手棒挿通孔Ｈ位置によって、取っ手棒４と爪手段６を上下から挟んだ状態となるので、上下のテニスラケット状体１、２が図１のように開くことはない。
【００１８】
請求項４のように、一対の楕円状枠ｆ・ｆの少なくとも片側の楕円状枠の一部あるいは全周の表側面に舌苔除去用の突起を複数設けてあるので、飴玉やタブレットなどの入った一対のテニスラケット状体を口腔内でしゃぶっている間に、複数の突起や舌の動きによって自然と舌苔が除去される。介助者が、被介助者の舌の上でテニスラケット状体を前後動させてもよい。
【００１９】
請求項５のように、取っ手棒４の偏平半円状の両側の円弧部４ａ、４ｂに被さる左右一対の弾性爪１２、１３を前記爪手段６側に設けて、一対の弾性爪１２、１３間に取っ手棒４の左右両側の円弧部４ａ、４ｂが嵌入すると、互いにロックされる構造であるため、図３（１）のように、左右一対の弾性爪１２、１３間に取っ手棒４の左右両側の円弧部４ａ、４ｂが嵌入している状態では、互いにロックされ、互いに離脱不能となる。
【００２０】
請求項６のように、片方の楕円状枠ｆには、他方の楕円状枠ｆの内周に嵌入できるサイズの小形の楕円壁８をガット３面と直角方向に突設し、前記の小形楕円壁８が他方の楕円状枠ｆ中に嵌入することによって、互いにロックされる構造であるため、一対の楕円状枠ｆ・ｆが閉じた状態では、互いにロック作用が働いており、容易に開くことはない。
【００２１】
請求項７のように、取っ手棒４の楕円状枠ｆ寄りに取っ手棒４を横切る方向の凹溝１０を形成し、他方の楕円状枠ｆの爪手段６には、前記の凹溝１０に嵌入する凸部１１を形成することもできる。凹溝１０を爪手段６側に設け、凸部１１を取っ手棒４側に設けてもよい。
【００２２】
請求項８のように、前記の取っ手棒４および／又は爪手段６に、口腔中への挿入深さを示すための１以上の目印ｍ、Ｍを設けてあるため、介助者は、この目印を見て、口腔内への楕円状枠の挿入深さを目的に応じて確認できるので、常に危険の無いように監視できる。
【発明を実施するための最良の形態】
【００２３】
次に本発明による飴玉類のしゃぶり介助具が実際上どのように具体化されるか実施形態を説明する。図１はテニスラケット状のしゃぶり介助具の実施形態を示す斜視図で、一対のテニスラケット状体１、２を有しており、それぞれ楕円状枠ｆの中にガット３を張ってある。片方のテニスラケット状体１の楕円状枠ｆに棒状の取っ手棒４が一体に取付けてあり、その先端にリング状の取っ手５を設けてある。他方の楕円状枠ｆは、柄が無く、引っ掛け用の爪６が取っ手棒４の方に延びている。
【００２４】
一対の楕円状枠ｆ・ｆは、先端の薄肉のヒンジ部７によって、互いに開閉可能に連結されている。また、片方の楕円状枠ｆには、他方の楕円状枠ｆの内周に嵌入できるサイズの小形の楕円壁８をガット３と直角方向に突設してある。
このしゃぶり介助具の使用に際しては、ヒンジ部７を支点にして、図１のように一対の楕円状枠ｆ・ｆを開けた状態で、それぞれのガット３、３間に飴玉などを挿入してから、ヒンジ部７を支点にして一対の楕円状枠ｆ・ｆを閉じることによって、ガット３、３間に飴玉などを挟み込む。片方の楕円状枠ｆと一体の楕円壁８が他方の楕円状枠ｆ中に嵌入しており、その中に飴玉などが入っているので、外に離脱する恐れはない。なお、楕円壁８は不可欠ではなく、また飴玉などを収納した状態では、飴玉などのサイズに応じてガット３、３が膨らむことは当然である。
【００２５】
図２は一対の楕円状枠ｆ・ｆを閉じた状態で、（１）は平面図、（２）側面図、（３）は底面図である。一対の楕円状枠ｆ・ｆが閉じた状態では、前記の楕円壁８が他方の楕円状枠ｆ中に嵌入しているため、互いにロック作用が働いており、容易に開くことはない。
閉じた状態から開く場合は、爪６に指先の爪や薄板先などを挿入して引っ掛けると、ヒンジ部７を支点にして一対の楕円状枠ｆ・ｆを互いに開いて、ガット３・３間に飴玉などを挿入し、収納できる。
こうして一対の楕円状枠ｆ・ｆの内側のガット３・３間に飴玉やタブレットなどのようなしゃぶる物体を収納した状態で、一対のガットつき楕円状枠ｆ・ｆからなる収納手段を、乳幼児や要介護者の口腔中に挿入する。このとき、取っ手５を介助者が手に持って操作する。
【００２６】
取っ手棒４には、楕円状枠ｆ・ｆ寄りに複数の目印ｍ、Ｍを設けてある。一対の楕円状枠ｆ・ｆからなる収納手段を乳幼児の口腔中に挿入する場合は、浅く挿入する必要があるので、楕円状枠ｆ寄りの目印ｍが隠れる程度まで挿入するのがよい。
成人の要介護者の口腔中に挿入する場合だと、取っ手５寄りの目印Ｍが隠れる程度まで挿入すると、飴玉などを保持しているガット３の位置がちょうど舌の真上に位置するように、目印ｍ、Ｍの位置を設定してある。なお、目印ｍ、Ｍは３か所以上に設けてもよいし、１か所だけでもよい。
【００２７】
一対の楕円状枠ｆ・ｆは、ガット３・３面から突出した形状をしているので、楕円状枠ｆ・ｆの先端寄りの表側に舌苔除去用の突起９を複数設けてある。介助者が、この突起９で被介助者の舌の上を前後に擦るように操作すると、被介助者の舌苔を除去できる。
突起９は、片方の楕円状枠ｆだけでよいが、両方の楕円状枠ｆ・ｆに設けてもよい。
【００２８】
ヒンジ部７は、繰り返し強度の強い、耐久性に優れた樹脂で製造できるが、一対の楕円状枠ｆ・ｆと一体成型してもよいし、一体に接着又はネジ等で固定してもよい。
ヒンジ部７を介在させないで、一対の楕円状枠ｆとｆを完全に分離して、別体の構造も可能である。ただし、分離して開閉する構造の場合は、飴玉類を挿入する際の操作性が良くない。
【００２９】
一対の楕円状枠ｆ・ｆが閉じた状態では、前記のように楕円壁８が他方の楕円状枠ｆ中に嵌入して互いにロックされるので、容易に開くことはないが、ロックが不十分と思われる場合は、図１のように取っ手棒４の楕円状枠ｆ寄りに取っ手棒４を横切る方向の凹溝１０を形成し、他方の楕円状枠ｆの爪６には、前記の凹溝１０に嵌入する凸部１１を形成することもできる。凹溝１０を爪６側に設け、凸部１１を取っ手棒４側に設けてもよい。
【００３０】
図３は、他のロック機構を示すための取っ手棒４と爪６の断面図であり、取っ手棒４の偏平半円状の両側の円弧部４ａ、４ｂに被さる弾性爪１２、１３を爪６側に設けてある。したがって、図３（１）のように、左右一対の弾性爪１２、１３間に取っ手棒４の左右両側の円弧部４ａ、４ｂが嵌入している状態では、互いにロックされるので、爪６に指先の爪を引っ掛けたり、尖った器具の先端を引っ掛けて引っ張らない限り、互いに離脱できず、一対の楕円状枠ｆ・ｆを開放できない。
図３（２）は、一対の弾性爪１２、１３と取っ手棒４の円弧部４ａ、４ｂが離脱した状態であり、矢印ａ１、矢印ａ２方向に互いに押し付けると、一対の弾性爪１２、１３間に取っ手棒４の円弧部４ａ、４ｂが強引に嵌入されて、円弧部４ａ、４ｂが弾性爪１２、１３の弾力で挟持されるため、前記のように爪６を引っ掛けて引っ張らない限り離脱できず、確実にロックされる。なお、一対の弾性爪１２、１３を取っ手棒４側に設け、爪６側の円弧部４ａ、４ｂを嵌入させてもよい。
【００３１】
前記のようなテニスラケット状の収納手段に代えて、図４以下のような伸縮性に富んだネットやネット状体から成る袋状の収納手段中に飴玉類を収納支持することもできる。図４（１）は筒状ネット14で、合成樹脂の溶融押し出しによって出て来た糸状物を互いに熱融着させて形成した押し出しネットが適しているが、他の方法でネット形成してもよい。また、通常の糸を筒状に編んだ物でもよい。その一端15は、押し出しネットの場合は熱融着などの手法で閉じて底部とし、熱融着部が露出していると口内を傷つける恐れがあるので、（２）（４）（５）のように裏返して、底部閉鎖手段を内向きにして使用するのが安全である。糸製の場合も、閉じ代部が舌触りを悪くする場合は、裏返した方がよい。
【００３２】
他端１６は開口しており、前記のように裏返してから、飴玉類Ｃを挿入して、底部１５寄りまで移動させると、図４（２）の状態となる。飴玉類Ｃは筒状ネット１４の直径より遙かに大きいため、飴玉類Ｃを収納している袋状の部分Ｂのネットだけが、図示のように網目が伸びて広がり、大きな飴玉類Ｃを収納可能となる。
他の領域すなわち延長部Ｐは、網目の閉じた状態を維持しているので、内部の飴玉類Ｃが容易に移動することはない。
【００３３】
このように、筒状ネット１４の底部１５側の袋状部Ｂに飴玉類Ｃを収納した状態で、袋状部Ｂを被介助者の口腔中に挿入してしゃぶらせることができる。また、筒状ネット１４の網目が閉じた他の部分Ｐが袋状部Ｂから延長しているので、この延長部Ｐを介助者が手に持って、飴玉類Ｃをしゃぶり終えた袋状部Ｂを被介助者の口腔から引き出すことができる。
しかし、筒状ネット１４は柔軟で、剛性が弱いため、ネット製の延長部Ｐで飴玉類Ｃを支持することはできない。したがって、飴玉類Ｃの入った袋状部Ｂを介助者が指で摘んで被介助者の口腔中に挿入することになり、不衛生でもある。
この問題を防ぐには、（３）のような偏平筒１７中に（４）のように筒状ネット１４の延長部Ｐを挿通して支持手段とし、偏平筒１７を手に持って操作するのがよい。即ち、（２）のように飴玉類Ｃを挿入した状態で、飴玉類Ｃの入っている袋状部Ｂから延びた延長部Ｐを、開口部１６から偏平筒１７中に矢印ａ３方向に挿入して、（４）のように挿通する。
【００３４】
開口部１６側は偏平筒１７から突き出した状態となるので、（５）のように偏平筒１７の外側に折り返して重ねると、偏平筒１７から筒状ネット１４が抜けるのを防止できる。開口部１６の全周を偏平筒１７の端部に被せるように裏返して重ねてもよい。
折り返し状態で矢印ａ４、矢印ａ５方向に、クリップなどで挟み着けて仮固定した状態で、偏平筒１７を介助者が手に持って、飴玉類Ｃの入った袋状部を被介助者の口腔中に挿入したり、舌の上で前後動させたり操作できる。飴玉類Ｃの入ったネット製の袋状部を舌の上で前後動させると、舌苔の除去も可能となる。
なお、１７は偏平状以外の筒体も可能であり、筒体１７にも、前記のような目印ｍ、Ｍを設けると便利である。
【００３５】
図５（１）は、筒状ネット１４の前記延長部Ｐ中に芯体１８を挿入して、この芯体１８を支持手段にしている。ただし、内部の飴玉類Ｃに芯体１８が突き当たるのを防ぐために、飴玉類Ｃと芯体１８の先端との間が括れるように、締め付け紐１９でしばってある。この紐１９は、（２）のように裏返した筒状ネット１４に周方向に予め通してある。すなわち、（３）のように、筒状ネット１４の網目中に内外交互に紐１９を約１周通過させ、筒状ネット１４以外に延びた２本の紐１９はストッパー筒２０中に挿通する。
【００３６】
使用に当たっては、（２）の筒状ネット１４の底部１５寄りの袋状部中に飴玉類Ｃを挿入してから、紐１９を片手に持って、ストッパー筒２０を他方の手で筒状ネット１４側に最終位置まできつく移動させると、紐１９で筒状ネット１４が締め付けられて、袋状部寄りの根元が括れた状態となる。ストッパー筒２０は、ゴム筒のように伸縮性又は柔軟性に富んだ材質を用いると、内部の紐１９を弾力で締め付けるので、くびれ部はゆるみにくい。
【００３７】
次いで芯体１８を開口部１６から挿入すると、芯体１８の先端は括れ部に突き当たるので、飴玉類Ｃの位置まで到達することはない。（１）のように、芯体１８の根元側を筒状ネット１４の開口部１６から露出させると、芯体１８も筒状ネット１４も操作がし易くなる。クリップなどで、筒状ネット１４を芯体１８に加圧して仮固定しておくと、一体性が増すので、飴玉類Ｃの出し入れ操作がし易い。
こうして、飴玉類Ｃを収納する袋状部からくびれ部を経て延長している延長部Ｐ中に芯体１８を挿入してあると、芯体１８を持って飴玉類Ｃ側を操作できる。したがって、芯体１８は、歯で噛んでも受ける衝撃が弱くなるように、軟質の合成樹脂製の板状ないし棒状体、あるいは筒状体などが適している。なお、この場合は、ネット製の延長部Ｐ又は内部の芯体１８に目印ｍ、Ｍを設ける。
【００３８】
芯体１８が無い場合は、前記のように延長部Ｐを摘んで、口腔内の袋状部を引き出したり、閉鎖用の閉じ紐１９を引っ張って、袋状部を引き出すこともできる。
筒状ネット１４は、図６、図７のように、袋状部の延長部Ｐを除去した構成とし、引き出し操作用の紐１９ａで、飴玉類Ｃをしゃぶった後の袋状部を口腔から取り出すこともできる。
図６（１）は、図５において、筒状ネット１４の紐１９の取付け領域を残して、延長部Ｐを切除した構成である。この状態において、紐１９を引き出し紐１９ａにしてもよいが、切り口１４ｃが露出していると、口腔内や舌を傷つける恐れがあるので、（２）のように、切り口１４ｃを外側に１〜２ｃｍ程度を裏返して重ねた状態で、筒状ネット１４を全体的に裏返しにすると、（３）のように、熱融着底部１５が裏返されて内側に入り、切り口１４ｃも内側に折り返された構造となり、底部１５も切り口１４ｃも外に露出しない、安全な状態となる。
【００３９】
この状態において、図６（３）のように開口側の網目中に内外交互に引き出し紐１９ａを通して締め付け可能とする。この場合、切り口１４ｃ（袋の開口）側は、折り重ねた状態の２枚のネットに引き出し紐１９ａを内外交互に通すのがよい。
引き出し紐１９ａの筒状ネット１４以外の部分を、ストッパー筒２０に挿通することは言うまでもない。この引き出し紐１９ａの先端１９ｂは、指を通せるように連結して半環状１９ｒとし、全体としてエンドレスの引き出し紐１９ａとすると、引き出し操作が容易になる。
【００４０】
このように、ストッパー筒２０を矢印ｔ方向にスライドして筒状ネット１４を締め付けて、飴玉類Ｃ収納部の開口を締め付け閉鎖した状態で、締め付け部から延長した引き出し紐１９ａを持って、被介助者の口腔中の袋状部を引き出すことができる。
しかし、引き出し紐１９ａだけだと、しゃぶった後の袋状部を引き出すことはできても、被介助者の口腔中に飴玉類Ｃを挿入する操作は手で行なうことになり、操作性が良くない。また、不衛生でもある。
そこで、図７では、図６の引き出し紐１９ａを挿通して、飴玉類Ｃの入った袋状部を保持し操作する取っ手棒２１を設けてある。（１）図の取っ手棒２１は、引き出し紐１９ａを挿通する小孔ｈを開けてあり、ストッパー筒２０から引き出した引き出し紐１９ａを小孔ｈに挿通した状態で、先端１９ｂを連結して、指を通せるように半円輪状１９ｒに形成してある。
【００４１】
その結果、取っ手棒２１のリング状の取っ手５を手で持った状態で、引き出し紐１９ａの半円状輪１９ｒに指を挿入して引っ張ると、括れ部がストッパー筒２０を挟んだ状態で、取っ手棒２１先端に引きつけられて固定支持されるので、飴玉類Ｃの入った袋状部を確実に支持した状態で、被介助者の口腔中に挿入できる。
また、被介助者の舌の上に飴玉類Ｃを載せた状態で、取っ手棒２１を前後動させると、ネットからなる袋状部で舌苔を除去することもできる。
【００４２】
（２）図の取っ手棒２１は、その先端の孔ｈに加えて、間隔をおいて２個の挿通孔ｈ１、ｈ２を開けてあって、引き出し紐１９ａを挿通孔ｈ→ｈ１、ｈ２の順にかつ交互にジグザグ状に挿通してある。
その結果、飴玉類Ｃを収納した後、引き出し紐１９ａのストッパー筒２０をスライドさせて締め付けて括れ部を形成した状態で、前記のようにしてストッパー筒２０が取っ手棒２１先端に圧接するように、半円状輪１９ｒに指を挿入して引き出し紐１９ａを引っ張ると、複数の小孔ｈ、ｈ１、ｈ２の滑り阻止作用によって、括れ部が弛んだり、飴玉類Ｃの保持力が低下するのを防止できる。
そのため、取っ手棒２１を持って操作に集中することができる。
【００４３】
飴玉類Ｃの入った袋状部Ｂを操作するための前記の取っ手棒４や延長部Ｐ、筒状や芯状の支持手段１７、１８、引き出し紐１９ａ、取っ手棒２１などを手で持っておけば、飴玉類の誤嚥を防止できるが、図４（５）のように、偏平筒１７にストッパー鍔Ｓを設けることによっても呑み込み不能となり、誤嚥防止できる。
例えば図８と同様な構造によって、ストッパー鍔Ｓが目印ｍやＭの位置で前後移動できないように偏平筒１７に取付けておけば、ストッパー鍔Ｓが唇の外に当たって、口腔内には移動できないため、袋状部Ｂの呑み込みは不可能となる。乳幼児のおしゃぶりと同じ原理である。
従って、ストッパー鍔Ｓ付き構造にすると、介助者が常に付き添って監視する負担も解消される。また、目印ｍやＭも不必要となる。
【００４４】
図８は、図１、図２のテニスラケット状の収納部の取っ手棒４に、目印ｍやＭに代えて、ストッパー鍔Ｓを設けた実施形態であり、図２（２）の取っ手棒４の根元側の目印ｍ位置にストッパー鍔Ｓを取付けてある。
このストッパー鍔Ｓは、楕円板の中央に、取っ手棒４の挿通孔Ｈを開け、例えば１８０度位置に突起通過用の凹孔Ｈ１、Ｈ２を開けてある。この凹孔Ｈ１、Ｈ２の前後には、取っ手棒４や爪６と一体の突起２２、２３を設けてある。ただし、取っ手５寄りの突起２２は突起高さが低く、前記凹孔Ｈ１、Ｈ２中を通過できるのに対し、楕円状枠ｆ寄りの突起２３は凹孔Ｈ１、Ｈ２より高いので、ストッパー鍔Ｓは高い突起２３に阻止されて、楕円状枠ｆ側に移動できない。
【００４５】
Ｂ−Ｂ方向の断面図で示すと、図８（２）（３）のようになる。（２）図は、（１）図のように、突起２２、２３の位置とストッパー鍔Ｓの凹孔Ｈ１、Ｈ２が一致していて、凹孔Ｈ１、Ｈ２中を低い方の突起２２が通過可能な状態である。この状態のストッパー鍔Ｓを矢印のように右方向又は左方向に約９０度回転させると、（３）図のように、凹孔Ｈ１、Ｈ２が水平状態となり、凹孔Ｈ１、Ｈ２の無い挿通孔Ｈ位置が突起２２と２３間に移動する。
【００４６】
その結果、ストッパー鍔Ｓは突起２２、２３に阻止されて、前後方向に移動不能となるので、楕円状枠ｆ側を被介助者が口腔中でしゃぶっている際に、ストッパー鍔Ｓが楕円状枠ｆや飴玉類Ｃの誤嚥防止として機能する。
しかも、ストッパー鍔Ｓの凹孔Ｈ１、Ｈ２の無い挿通孔Ｈ位置によって、取っ手棒４と爪６を上下から挟んだ状態となるので、図１のように上下のテニスラケット状体１、２が開くことはない。従って、図３のようなロック機構は必ずしも必要ない。
【００４７】
被介助者の口腔中の飴玉類Ｃが溶けた後は、ストッパー鍔Ｓを約９０度左右に回転させて（２）図の状態に戻してから、ストッパー鍔Ｓを取っ手５側に移動させると、凹孔Ｈ１、Ｈ２が低い方の突起２２・２２を通過して、爪６の位置から退避するので、取っ手棒４に対し爪６側を相対的に開いて、図１のように一対のテニスラケット状体１、２を開いて、内側に飴玉類を挿入することが可能となる。
飴玉類を挿入後は、ストッパー鍔Ｓを楕円状枠ｆ側に移動させ、凹孔Ｈ１、Ｈ２が低い方の突起２２・２２を通過してから、左又は右に９０度回転させて、ストッパー鍔Ｓが前後方向に移動不可能にする。なお、ストッパー鍔Ｓは、真円状でもよい。
【００４８】
図９は、図４の袋状部Ｂと一体のネット製の延長部Ｐをストッパー鍔Ｓの中央孔Ｈに挿通する実施形態である。袋状部Ｂ中に飴玉類Ｃを挿入してから、延長部Ｐをストッパー鍔Ｓの中央孔Ｈに挿通し、目印ｍ位置の付近で延長部Ｐを縛って瘤２４を形成してある。
その結果、瘤２４によって、ストッパー鍔Ｓの開口部１６側への移動が阻止されるので、位置決めされる。
ストッパー鍔Ｓは、飴玉類Ｃの入った袋状部Ｂ側には移動できるので、飴玉類が溶けた後は、袋状部Ｂが中央孔Ｈを通過して、瘤２４側すなわち口腔の外側に抜けるので、特に問題とならず、誤嚥の恐れはない。
【００４９】
瘤２４を形成するのが面倒な場合は、ピン２５を延長部Ｐの網目中に差し込んで、先端をＵ字状に折り曲げると、瘤２４の代用となる。
従って、袋状部Ｂ中に飴玉類Ｃを挿入してから、延長部Ｐをストッパー鍔Ｓの中央孔Ｈに挿通し、目印ｍ位置又はＭ位置にストッパー鍔Ｓを移動させて、その前後両側にピン２５を差し込んで、Ｕ字状に折り曲げると、ストッパー鍔Ｓは前後に移動不能となり、抜ける恐れもない。
このように、ピン２５を網目に差し込む構造の場合は、図５のような芯体１８の挿入も可能である。ただし、中央孔Ｈは、延長部Ｐ中に挿入した芯体１８が通過可能な形状とする必要がある。
【００５０】
図１０は、図５における芯体１８上の延長部Ｐを前後２か所で輪ゴムＧ１・Ｇ２によって結束すると共に、中間位置にストッパー鍔Ｓを取付けた構造になっており、ストッパー鍔Ｓの外側すなわち被介助者の口腔に対し反対側に取っ手５を設けてある。
従って、円状や楕円状のストッパー鍔Ｓより被介助者の口腔側の芯体１８ａの先端の受け部ないし当接部ｃに飴玉類Ｃが当接し、反対側すなわち外側の芯体１８ｂに取っ手５を一体に有しているので、一見すると乳児用の「おしゃぶり」状を呈している。
使用に際しては、袋状部Ｂ中に飴玉類Ｃを挿入してから、ストッパー鍔Ｓ付きの芯体１８ａ、１８ｂを一緒に、破線で示す筒状ネット１４の延長部Ｐ中に挿入する。次いで、芯体１８ａ上の延長部Ｐの外側に輪ゴムＧ１を巻き着けると共に、芯体１８ｂ側の前記延長部Ｐにも輪ゴムＧ２を巻き着ける。
このように、ストッパー鍔Ｓ付きの場合は、飴玉類Ｃや袋状部Ｂの誤嚥をストッパー鍔Ｓによって防止できるので、介助者の負担が軽減される。
【００５１】
図１０の（３）図は、ストッパー鍔Ｓの外周の形状が円状でなく、複数の角部２６を有する形状になっているため、（４）図のように破線で示す延長部Ｐ中に挿入した際に、角部２６が延長部Ｐの網目中に嵌入して、放射方向に突出する。
その結果、被介助者が袋状部Ｂを飲み込もうとしても、延長部Ｐの網目に角部２６が嵌入し引っ掛かっているので、延長部Ｐが移動したり抜けたりする恐れはなく、ストッパー鍔Ｓで確実に誤嚥を防止できる。
（３）図のストッパー鍔Ｓは正方形に近い形状だが、隣接する角部２６・２６の間を鎖線のように凹状に湾曲させてもよい。
なお、乳幼児用を想定して目印ｍ位置にストッパー鍔Ｓを取付ける例を説明したが、高齢者などの成人用の場合は、目印Ｍ位置にストッパー鍔Ｓを設けることは言うまでもない。
【００５２】
以上のように、筒状ネット１４の一端に形成した袋状部Ｂは、伸縮性に富んでいるので、飴玉類Ｃの形状のいかんを問わす、また飴玉類に限定されず、例えばビスケットなどのような焼き菓子などを収納しておけば、唾液で自然と溶けだすので、多種の菓子類や食品の誤嚥防止に適用でき、被介助者の食生活が豊かになり、生活の質が向上する。また、伸縮性に富んだ筒状ネット１４からなる延長部Ｐ中には、大径のストッパー鍔Ｓを容易に挿入できる。
【産業上の利用可能性】
【００５３】
以上のように、本発明によると、飴玉や金平糖、タブレットなどのような飴玉類を収納して支持可能な袋状部やテニスラケット状などの収納手段に引き出し紐を設けて、被介助者の口腔中から収納手段を引き出したり、取っ手棒などの取っ手手段を介助者が持って、前記収納手段を前後操作したりできる。その結果、乳幼児や要介護者などが飴玉類を飲み込まないで、口腔中で確実にしゃぶれるような介助具を実現できる。また、取っ手棒や延長部、引き出し手段、支持手段などの操作やストッパー鍔によって、飴玉類の誤嚥を防止できるため、誤嚥に起因する高齢者の肺炎対策としても有効で、医療的効果も期待できる。
【図面の簡単な説明】
【００５４】
【図１】テニスラケット状のしゃぶり介助具の実施形態を示す斜視図である。
【図２】一対の楕円状枠を閉じた状態で、（１）は平面図、（２）側面図、（３）は底面図である。
【図３】一対の楕円状枠の他のロック機構で、（１）は閉じた状態、（２）は分離した状態である。
【図４】袋状部を形成する筒状ネットを操作用の偏平筒に挿通する実施形態を示す図である。
【図５】筒状ネット中に操作用の芯体を挿入する実施形態を示す図である。
【図６】ネット製袋状部に引き出し紐をつないだ実施形態を示す図である。
【図７】ネット製袋状部につないだ引き出し紐を挿通して飴玉類を保持する取っ手棒を有する実施形態を示す図である。
【図８】テニスラケット状のしゃぶり介助具にストッパー鍔を設けた実施形態で、（１）は側面図、（２）（３）はＢ−Ｂ断面図である。
【図９】袋状部の延長部にストッパー鍔を着脱式に取付けた実施形態である。
【図１０】おしゃぶり状の飴玉類支持具で、（１）（２）は円板状のストッパー鍔、（３）（４）は角部つきのストッパー鍔である。
【符号の説明】
【００５５】
１・２  テニスラケット状体
ｆ  楕円状枠
３  ガット状部
４  取っ手棒
４ａ・４ｂ  円弧部
５  取っ手
６  爪
７  ヒンジ部
８  小形の楕円壁
ｍ・Ｍ  目印
９  舌苔除去用の突起
１０  凹溝
１１  凸部
１２・１３  弾性爪
１４  筒状ネット
１４ｃ  切り口
１５  熱融着底部
１６  開口部
１７  偏平筒
Ｂ  袋状部
Ｐ  延長部
Ｃ  飴玉類
ｃ  飴玉類の受け部又は当接部
１８  芯体
１９  締め付け紐
１９ａ  引き出し紐
１９ｒ  半環状部
２０  ストッパー筒
２１  取っ手棒
ｈ・ｈ１・ｈ２  挿通孔
２２・２３  突起
Ｇ１・Ｇ２  輪ゴム
Ｈ  挿通孔
Ｈ１・Ｈ２  凹孔
２６  嵌入角